(57)【要約】【課題】デジタルサイネージ機能と情報ターミナル機能とを合理的に両立する。【解決手段】実施形態のデジタルサイネージ装置は、表示デバイス、プリンタ、入力デバイス、表示制御手段、第１の決定手段、第２の決定手段およびプリント制御手段を含む。表示制御手段は、不特定の人間に向けた広告画像と、第１の操作ボタンと、第２の操作ボタンとをそれぞれ表した画像を表示すべく表示デバイスを制御する。第１の決定手段は、第１の操作ボタンの操作が入力デバイスにより入力されたことに応じて、利用者による選択肢からの選択を少なくとも一度経てプリントの対象となる画像を決定する。第２の決定手段は、第２の操作ボタンの操作が入力デバイスにより入力されたことに応じて、当該操作された第２の操作ボタンに関連付けられた画像をプリントの対象として決定する。プリント制御手段は、プリントの対象となる画像をプリントすべくプリンタを制御する。【選択図】      図１
2014157565.tif 000002
【特許請求の範囲】
【請求項１】
任意の画像を表示する表示デバイスと、
任意の画像をプリント媒体へとプリントするプリンタと、
利用者の操作を入力する入力デバイスと、
不特定の人間に向けた広告画像と、少なくとも１つの第１の操作ボタンと、少なくとも１つの第２の操作ボタンとをそれぞれ表した画像を表示するように前記表示デバイスを制御する表示制御手段と、
前記第１の操作ボタンのうちの１つの操作が前記入力デバイスにより入力されたことに応じて、前記利用者による選択肢からの選択を少なくとも一度経てプリントの対象となる画像を決定する第１の決定手段と、
前記第２の操作ボタンのうちの１つの操作が前記入力デバイスにより入力されたことに応じて、当該操作された第２の操作ボタンに関連付けられた画像をプリントの対象として決定する第２の決定手段と、
前記第１または第２の決定手段により決定されたプリントの対象となる画像をプリントするように前記プリンタを制御するプリント制御手段とを具備したことを特徴とするデジタルサイネージ装置。
【請求項２】
前記表示制御手段は、前記第１または第２の決定手段により決定されたプリントの対象となる画像についてのプレビュー画像と第３の操作ボタンとをそれぞれ表した画像を表示するように前記表示デバイスを制御し、
前記プリント制御手段は、前記第３の操作ボタンの操作が前記入力デバイスにより入力されたことに応じて、前記第１または第２の決定手段により決定されたプリントの対象となる画像をプリントするように前記プリンタを制御することを特徴とする請求項１に記載のデジタルサイネージ装置。
【請求項３】
前記表示制御手段は、前記第１の操作ボタンのうちの１つの操作が前記入力デバイスにより入力されたことに応じて、前記広告画像に代えて、前記利用者による選択肢からの選択のための画像を表示するように前記表示デバイスを制御することを特徴とする請求項１または２に記載のデジタルサイネージ装置。
【請求項４】
サイネージ端末とコンテンツサーバとを具備したデジタルサイネージシステムであって、
前記サイネージ端末は、
任意の画像を表示する表示デバイスと、
任意の画像をプリント媒体へとプリントするプリンタと、
利用者の操作を入力する入力デバイスと、
前記入力デバイスにより入力された前記操作を前記コンテンツサーバに通知する通知手段と、
前記コンテンツサーバから送信された表示用画像を表示するように前記表示デバイスを制御する表示制御手段と、
前記コンテンツサーバから送信されたプリント用画像をプリントするように前記プリンタを制御するプリント制御手段とを具備し、
前記コンテンツサーバは、
不特定の人間に向けた広告画像と、少なくとも１つの第１の操作ボタンと、少なくとも１つの第２の操作ボタンとをそれぞれ表した画像を前記表示用画像として前記サイネージ端末へ送信する第１の送信手段と、
前記第１の操作ボタンのうちの１つの操作が前記入力デバイスにより入力されたことが前記通知手段により通知されたことに応じて、前記利用者による選択肢からの選択を少なくとも一度経てプリントの対象となる画像を決定する第１の決定手段と、
前記第２の操作ボタンのうちの１つの操作が前記入力デバイスにより入力されたことが前記通知手段により通知されたことに応じて、当該操作された第２の操作ボタンに関連付けられた画像をプリントの対象として決定する第２の決定手段と、
前記第１または第２の決定手段により決定されたプリントの対象となる画像を前記プリント用画像として前記サイネージ端末へ送信する第２の送信手段とを具備したことを特徴とする。
【請求項５】
サイネージ端末とともにデジタルサイネージシステムを構成するためにコンテンツサーバとして利用されるサーバ装置であって、
前記サイネージ端末が、
任意の画像を表示する表示デバイスと、
任意の画像をプリント媒体へとプリントするプリンタと、
利用者の操作を入力する入力デバイスと、
前記入力デバイスにより入力された前記操作を前記コンテンツサーバに通知する通知手段と、
前記コンテンツサーバから送信された表示用画像を表示するように前記表示デバイスを制御する表示制御手段と、
前記コンテンツサーバから送信されたプリント用画像をプリントするように前記プリンタを制御するプリント制御手段とを具備することを前提とし、
前記サーバ装置は、
不特定の人間に向けた広告画像と、少なくとも１つの第１の操作ボタンと、少なくとも１つの第２の操作ボタンとをそれぞれ表した画像を前記表示用画像として前記サイネージ端末へ送信する第１の送信手段と、
前記第１の操作ボタンのうちの１つの操作が前記入力デバイスにより入力されたことが前記通知手段により通知されたことに応じて、前記利用者による選択肢からの選択を少なくとも一度経てプリントの対象となる画像を決定する第１の決定手段と、
前記第２の操作ボタンのうちの１つの操作が前記入力デバイスにより入力されたことが前記通知手段により通知されたことに応じて、当該操作された第２の操作ボタンに関連付けられた画像をプリントの対象として決定する第２の決定手段と、
前記第１または第２の決定手段により決定されたプリントの対象となる画像を前記プリント用画像として前記サイネージ端末へ送信する第２の送信手段とを具備したことを特徴とする。
【請求項６】
任意の画像を表示する表示デバイスと、
任意の画像をプリント媒体へとプリントするプリンタと、
利用者の操作を入力する入力デバイスと、
コンピュータとを具備したデジタルサイネージ装置の制御プログラムであって、
前記コンピュータを、
不特定の人間に向けた広告画像と、少なくとも１つの第１の操作ボタンと、少なくとも１つの第２の操作ボタンとをそれぞれ表した画像を表示するように前記表示デバイスを制御する表示制御手段と、
前記第１の操作ボタンのうちの１つの操作が前記入力デバイスにより入力されたことに応じて、前記利用者による選択肢からの選択を少なくとも一度経てプリントの対象となる画像を決定する第１の決定手段と、
前記第２の操作ボタンのうちの１つの操作が前記入力デバイスにより入力されたことに応じて、当該操作された第２の操作ボタンに関連付けられた画像をプリントの対象として決定する第２の決定手段と、
前記第１または第２の決定手段により決定されたプリントの対象となる画像をプリントするように前記プリンタを制御するプリント制御手段として機能させることを特徴とする。
【発明の詳細な説明】
【技術分野】
【０００１】
本発明の実施形態は、デジタルサイネージ装置、その制御プログラム、デジタルサイネージシステムおよびサーバ装置に関する。
【背景技術】
【０００２】
液晶表示デバイスなどの電子的な表示デバイスを用いて広告画像を表示するデジタルサイネージ装置が知られている。
【０００３】
この種のデジタルサイネージ装置は、ショッピングモールのホールなどのような多くの人間が集まる場所に設置される。このため、デジタルサイネージ装置を、利用者が希望する情報を利用者に提供するための情報ターミナルとしても利用できれば便利である。
【先行技術文献】
【特許文献】
【０００４】
【特許文献１】特開２０１２−１４６０２号公報
【発明の概要】
【発明が解決しようとする課題】
【０００５】
このような事情から、デジタルサイネージの機能と情報ターミナルの機能とを合理的に両立できることが望まれていた。
【課題を解決するための手段】
【０００６】
実施形態のデジタルサイネージ装置は、表示デバイス、プリンタ、入力デバイス、表示制御手段、第１の決定手段、第２の決定手段およびプリント制御手段を含む。表示デバイスは、任意の画像を表示する。プリンタは、任意の画像をプリント媒体へとプリントする。入力デバイスは、利用者の操作を入力する。表示制御手段は、不特定の人間に向けた広告画像と、少なくとも１つの第１の操作ボタンと、少なくとも１つの第２の操作ボタンとをそれぞれ表した画像を表示するように表示デバイスを制御する。第１の決定手段は、第１の操作ボタンのうちの１つの操作が入力デバイスにより入力されたことに応じて、利用者による選択肢からの選択を少なくとも一度経てプリントの対象となる画像を決定する。第２の決定手段は、第２の操作ボタンのうちの１つの操作が入力デバイスにより入力されたことに応じて、当該操作された第２の操作ボタンに関連付けられた画像をプリントの対象として決定する。プリント制御手段は、第１または第２の決定手段により決定されたプリントの対象となる画像をプリントするようにプリンタを制御する。
【図面の簡単な説明】
【０００７】
【図１】第１の実施形態に係るデジタルサイネージ装置のブロック図。
【図２】図１のデジタルサイネージ装置の外観を示す図。
【図３】図１中のＣＰＵにおける制御処理のフローチャート。
【図４】図１中のＣＰＵにおける制御処理のフローチャート。
【図５】一例としての表示画像を示す図。
【図６】一例としての操作画像を示す図。
【図７】別の一例としての操作画像を示す図。
【図８】一例としての確認画像を示す図。
【図９】別の一例としての確認画像を示す図。
【図１０】第２の実施形態に係るデジタルサイネージシステムのブロック図。
【発明を実施するための形態】
【０００８】
以下実施の形態を図面を用いて説明する。
【０００９】
（第１の実施形態）
図１は第１の実施形態に係るデジタルサイネージ装置１のブロック図である。
【００１０】
デジタルサイネージ装置（以下、サイネージ装置と略記する）１は、例えばショッピングモール等の不特定多数の人間が存在し得る場所に設置され、広告情報などを表した広告画像を表示する。サイネージ装置１は、特定の利用者が希望する情報を表した画像をプリントする情報ターミナルとしての機能も持つ。
【００１１】
サイネージ装置１は、ＣＰＵ（central processing unit）１０、ＲＯＭ（read-only memory）１１、ＲＡＭ（random-access memory）１２、補助記憶デバイス１３、タッチパネル１４、プリンタ１５、無線通信デバイス１６およびバスライン１７を含む。ＣＰＵ１０、ＲＯＭ１１、ＲＡＭ１２、補助記憶デバイス１３、タッチパネル１４、プリンタ１５および無線通信デバイス１６は、いずれもバスライン１７に接続されている。
【００１２】
ＣＰＵ１０は、コンピュータの中枢部分に相当する。ＣＰＵ１０は、オペレーティングシステムやアプリケーションプログラムに従って、サイネージ装置１としての各種の機能を実現するべく各部を制御する。
【００１３】
ＲＯＭ１１は、上記コンピュータの主記憶部分に相当する。ＲＯＭ１１は、上記のオペレーティングシステムやアプリケーションプログラムを記憶する。ＲＯＭ１１は、ＣＰＵ１０が各種の処理を実行する上で必要なデータを記憶する場合もある。
【００１４】
ＲＡＭ１２は、上記コンピュータの主記憶部分に相当する。ＲＡＭ１２は、ＣＰＵ１０が各種の処理を実行する上で必要なデータを必要に応じて記憶する。またＲＡＭ１２は、ＣＰＵ１０が各種の処理を行う際のワークエリアとしても利用される。
【００１５】
補助記憶デバイス１３は、例えばハードディスクドライブ、ＳＳＤ（solid state drive）、あるいは不揮発性の書き換え可能メモリなどである。補助記憶デバイス１３は、ＣＰＵ１０が各種の処理を行う上で使用するデータや、ＣＰＵ１０での処理によって生成されたデータを記憶する。補助記憶デバイス１３が記憶するデータには、各種の画像を表すデータを含む。補助記憶デバイス１３は、上記のアプリケーションプログラムを記憶する場合もある。
【００１６】
タッチパネル１４は、表示デバイス１４ａおよびタッチセンサ１４ｂを含む。表示デバイス１４ａは、ＣＰＵ１０の制御の下に任意の画像を表示する。タッチセンサ１４ｂは、表示デバイス１４ａの表示面に重ねて配置されている。タッチセンサ１４ｂは、表示デバイス１４ａにより表示された画像にタッチすることによる利用者の操作を入力する。タッチセンサ１４ｂは、入力デバイスの一例である。
【００１７】
プリンタ１５は、ＣＰＵ１０の制御の下に任意の画像を紙などのプリント媒体へとプリントする。
【００１８】
無線通信デバイス１６は、ＬＡＮ（local area network）などの通信ネットワーク２へと無線によりアクセスし、通信ネットワーク２を介したコンテンツサーバ３などとの通信のための処理を行う。無線通信デバイス１６としては、例えば既存の無線ＬＡＮデバイスを適用できる。無線通信デバイス１６に代えて、あるいは無線通信デバイス１６に加えて、有線により通信ネットワーク２へとアクセスするタイプの通信デバイスを設けても良い。
【００１９】
ＲＯＭ１１または補助記憶デバイス１３が保存するアプリケーションプログラムには、後述する制御処理について記述した制御プログラムが含まれる。サイネージ装置１の譲渡は一般に、この制御プログラムがＲＯＭ１１または補助記憶デバイス１３に記憶された状態にて行われる。しかし、制御プログラムがＲＯＭ１１または補助記憶デバイス１３に記憶されない状態のサイネージ装置１と制御プログラムとが個別に譲渡されても良い。そして、ＲＯＭ１１または補助記憶デバイス１３に、ユーザなどの操作に応じて制御プログラムが書き込まれても良い。制御プログラムの譲渡は、磁気ディスク、光磁気ディスク、光ディスク、半導体メモリなどのようなリムーバブルな記録媒体に記録して、あるいはネットワークを介した通信により行うことができる。
【００２０】
コンテンツサーバ３は、サイネージ装置１で表示するための各種の画像を表すデータを管理し、これらのデータを必要に応じてサイネージ装置１に送信する。
【００２１】
図２はサイネージ装置１の外観を示す図である。なお、図２において図１と同一の要素には同一の符号を付している。
【００２２】
図２に示すようにサイネージ装置１は、さらに筐体１８および複数のキャスタ１９を備える。
【００２３】
筐体１８は、縦方向に細長い形状を持ち、図１に示す各要素を収容し、支持する。筐体１８は特に、タッチパネル１４を、表示デバイス１４ａによる表示画像を筐体１８の前面の側から目視可能に支持する。また筐体１８は、近辺に居る多くの人間からの目視を可能とするように、タッチパネル１４を高い位置にて支持する。さらに筐体１８は、プリンタ１５で画像がプリントされた後のプリント媒体を筐体１８の外部へと排出可能なようにプリンタ１５を支持する。
【００２４】
キャスタ１９は、回転可能な状態で筐体１８に取り付けられている。キャスタ１９は、回転することによってサイネージ装置１の移動を可能とする。
【００２５】
次に以上のように構成されたサイネージ装置１の動作について説明する。
【００２６】
図３，５はＣＰＵ１０における制御処理のフローチャートである。
【００２７】
図示しない電源スイッチがオンとされるなどしてサイネージ装置１が起動されると、ＣＰＵ１０はＲＯＭ１１または補助記憶デバイス１３に記憶された制御プログラムに従って図３，５に示す制御処理を開始する。なお、以下に説明する処理の内容は一例であって、同様な結果を得ることが可能な様々な処理を適宜に利用できる。
【００２８】
Ａｃｔ１においてＣＰＵ１０は、広告を表示するための画像（以下、表示画像と称する）を生成し、この表示画像の表示を開始するように表示デバイス１４ａに指示する。この指示に応じて表示デバイス１４ａは、表示画像の表示を開始する。
【００２９】
図５は一例としての表示画像５０を示す図である。
【００３０】
ＣＰＵ１０は、図５に示すように標準画像５１、選択画像５２、広告画像５３および選択画像５４を縦方向に配列して表示画像５０を生成する。
【００３１】
標準画像５１は、日時、ロゴ、天気、言語選択ボタンおよびテロップなどを図５に示すように予め定められたフォームに従って配置した画像である。
【００３２】
選択画像５２は、カテゴリボタン５２ａ，５２ｂ，５２ｃ，５２ｄを横方向に配列した画像である。カテゴリボタン５２ａ，５２ｂ，５２ｃ，５２ｄはそれぞれ、第１の操作ボタンの一例である。カテゴリボタン５２ａは、クーポンの発行を要求するための利用者操作を入力する操作ボタンである。カテゴリボタン５２ｂは、配送オーダシートの発行を要求するための利用者操作を入力する操作ボタンである。カテゴリボタン５２ｃは、チラシの発行を要求するための利用者操作を入力する操作ボタンである。カテゴリボタン５２ｄは、マップの発行を要求するための利用者操作を入力する操作ボタンである。選択画像５２を表すデータは、例えば補助記憶デバイス１３に予め書き込まれる。
【００３３】
広告画像５３は、不特定の人間に向けた広告情報を表した画像である。
【００３４】
選択画像５４は、ダイレクトボタン５４ａ，５４ｂ，５４ｃおよび変更ボタン５４ｄ，５４ｅを図５に示すように横方向に配列した画像である。ダイレクトボタン５４ａ，５４ｂ，５４ｃはそれぞれ、第２の操作ボタンの一例である。ダイレクトボタン５４ａ〜５４ｃは、関連付けられた画像のプリントを要求するための利用者操作を入力する操作ボタンである。ダイレクトボタン５４ａ〜５４ｃとしては、それぞれに関連付けられた画像のサムネイルが利用される。変更ボタン５４ｄ，５４ｅは、ダイレクトボタン５４ａ〜５４ｃに関連付けられる画像の変更を要求するための利用者操作を入力する操作ボタンである。なお、ダイレクトボタン５４ａ，５４ｂ，５４ｃに関連付ける画像は任意であって良いが、ここではレシピやフリーペーパーを表した画像とする。
【００３５】
ＣＰＵ１０は、複数の広告画像５３のそれぞれを表す複数のデータや、ダイレクトボタン５４ａ〜５４ｃに関連付けるべき複数の画像のそれぞれを表す複数のデータを、事前にコンテンツサーバ３からダウンロードして補助記憶デバイス１３に記憶しておく。そしてＣＰＵ１０はＡｃｔ１においては、補助記憶デバイス１３が記憶するこれらデータを適宜に用いて表示画像５０を生成する。広告画像５３を表すデータや、ダイレクトボタン５４ａ〜５４ｃに関連付けるべき複数の画像のそれぞれを表す複数のデータは、Ａｃｔ１の処理の中でコンテンツサーバ３からダウンロードしても良い。
【００３６】
以上のように表示画像５０は、不特定の人間に向けた広告画像５３と、第１の操作ボタンの一例としてのカテゴリボタン５２ａ〜５２ｄと、第２の操作ボタンの一例としてのダイレクトボタン５４ａ〜５４ｃとをそれぞれ表した画像である。従ってＣＰＵ１０は、表示制御手段として機能している。
【００３７】
Ａｃｔ２においてＣＰＵ１０は、広告画像を変更するべきタイミングを判断するために予め定められた条件が成立したか否かを確認する。そして条件が成立しないためにＮＯと判定したならばＣＰＵ１０は、Ａｃｔ３へ進む。上記の条件は、サイネージ装置１の設計者や管理者により任意に定められる。上記の条件は例えば、表示中の表示画像５０を表示し始めてからの経過時間が予め定めた時間を超えた場合とされる。
【００３８】
Ａｃｔ３においてＣＰＵ１０は、利用者によるタッチ操作が行われたか否かを確認する。そして、タッチ操作がタッチセンサ１４ｂにより検出されていないためにＮＯと判定したならばＣＰＵ１０は、Ａｃｔ２に戻る。
【００３９】
かくしてＡｃｔ２，３においてＣＰＵ１０は、条件が成立するか、あるいはタッチ操作がなされるのを待ち受ける。そして、条件が成立したためにＡｃｔ２においてＹＥＳと判定したならばＣＰＵ１０は、Ａｃｔ４へ進む。
【００４０】
Ａｃｔ４においてＣＰＵ１０は、広告画像５３を別の画像に変更するように表示画像５０を更新する。そしてこののちにＣＰＵ１０は、Ａｃｔ２，３の待ち受け状態に戻る。
【００４１】
利用者が表示画像５０にタッチし、これがタッチセンサ１４ｂにより検出されると、ＣＰＵ１０はＡｃｔ３にてＹＥＳと判定する。そしてこの場合にＣＰＵ１０は、Ａｃｔ５へと進む。
【００４２】
Ａｃｔ５においてＣＰＵ１０は、表示画像５０におけるタッチ操作の対象がカテゴリボタン５２ａ〜５２ｄのいずれかであるか否かを確認する。そしてタッチセンサ１４ｂが検出したタッチ位置がカテゴリボタン５２ａ〜５２ｄのいずれかに相当する位置ではないためにＮＯと判定したならばＣＰＵ１０は、Ａｃｔ６へと進む。
【００４３】
Ａｃｔ６においてＣＰＵ１０は、表示画像５０におけるタッチ操作の対象がダイレクトボタン５４ａ〜５４ｃのいずれかであるか否かを確認する。そしてタッチセンサ１４ｂが検出したタッチ位置がダイレクトボタン５４ａ〜５４ｃのいずれかに相当する位置ではないためにＮＯと判定したならばＣＰＵ１０は、タッチセンサ１４ｂが検出したタッチ位置に応じた他処理へと移行する。この他処理については、本実施形態の特徴ではないために説明を省略する。また、タッチセンサ１４ｂが検出したタッチ位置がダイレクトボタン５４ａ〜５４ｃのいずれかに相当する位置であるためにＡｃｔ６にてＹＥＳと判定したならばＣＰＵ１０は、図４中のＡｃｔ１３へと進む。
【００４４】
タッチセンサ１４ｂが検出したタッチ位置がカテゴリボタン５２ａ〜５２ｄのいずれかに相当する位置であったためにＡｃｔ５にてＹＥＳと判定したならばＣＰＵ１０は、Ａｃｔ７へと進む。
【００４５】
Ａｃｔ７においてＣＰＵ１０は、利用者による選択操作のための画像（以下、操作画像と称する）を生成し、この操作画像の表示を開始するように表示デバイス１４ａに指示する。この指示に応じて表示デバイス１４ａは、表示画像の表示を終了し、操作画像の表示を開始する。具体的にはＣＰＵ１０は、タッチ操作の対象となったのがカテゴリボタン５２ａ〜５２ｄのいずれであるかを、タッチセンサ１４ｂが検出したタッチ位置に基づいて判定する。そしてＣＰＵ１０は、該当するカテゴリボタン５２ａに応じた選択操作のための操作画像を生成する。
【００４６】
図６は一例としての操作画像６０を示す図である。なお、図６において図５に示される要素と同一の要素には同一の符号を付し、その詳細な説明は省略する。
【００４７】
図６に示す操作画像６０は、別の複数の選択肢のうちの１つを選択するためのものである。
【００４８】
ＣＰＵ１０は、図６に示すように標準画像５１、選択画像５２、選択画像５４および選択画像６１を縦方向に配列して操作画像６０を生成する。すなわち操作画像６０は、表示画像５０における広告画像５３に代えて選択画像６１を配置したものである。ただしＣＰＵ１０は、カテゴリボタン５２ａ〜５２ｄのうちのいずれが利用者によりタッチされたのかを表す枠線５２ｅを選択画像５２に付加している。図６に示す操作画像６０は、カテゴリボタン５２ｂが利用者によりタッチされたことに応じて、すなわちオーダーシートの発行が利用者により要求されたことに応じて表示されるものである。カテゴリボタン５２ａ，５２ｃ，５２ｄが利用者によりタッチされた場合の選択画像６１の内容は図６とは異なる。
【００４９】
選択画像６１は、選択ボタン６１ａ，６１ｂ，６１ｃ，６１ｄ，６１ｅ，６１ｆと変更ボタン６１ｇ，６１ｈとを図６に示すように配置した状態で含む。選択ボタン６１ａ〜６１ｆは、配送の対象となる複数の商品が関連付けられている。そして選択ボタン６１ａ〜６１ｆは、それらの関連付けられた商品を選択するための利用者操作を入力する操作ボタンである。変更ボタン６１ｇ，６１ｈは、選択ボタン６１ａ〜６１ｆに関連付けられる商品の変更を要求するための利用者操作を入力する操作ボタンである。図３においては図示を省略しているが、変更ボタン６１ｇ，６１ｈのいずれかが利用者によりタッチされたならばＣＰＵ１０は、選択ボタン６１ａ〜６１ｆと商品との関連付けを変更するとともに、選択ボタン６１ａ〜６１ｆの中の表示を変更するように操作画像６０を更新する。
【００５０】
図７は別の一例としての操作画像６０を示す図である。なお、図７において図５に示される要素と同一の要素には同一の符号を付し、その詳細な説明は省略する。
【００５１】
図７に示す操作画像６０は、プリント対象となる複数の画像のうちの１つを選択するためのものである。
【００５２】
図７の操作画像６０においては、選択画像６１は、複数の選択肢のうちのいずれかを選択するための複数の選択ボタン６１ａを、横方向に配列した状態で含む。図７の操作画像６０は、図６に示す選択ボタン６１ａに関連付けられた商品についての複数のオーダーシートのうちの１つを利用者に選択させるためのものである。ＣＰＵ１０は、この複数のオーダーシートのそれぞれに関する画像に選択画像６１における複数の選択ボタン６１ｉをそれぞれ関連付けておく。選択ボタン６１ｉは、それぞれに関連付けられたクーポンの画像のサムネイルを含む。図３においては図示を省略しているが、関連する選択ボタン６１ｉが選択画像６１内に表示されていないオーダーシートが存在する場合には、選択画像６１内を指などで横方向になぞる操作を利用者が行ったことに応じてＣＰＵ１０は、表示していなかった選択ボタン６１ｉを選択画像６１内に表示するように操作画像６０を更新する。
【００５３】
なお、表示画像５０においてカテゴリボタン５２ａがタッチされた場合にＣＰＵ１０は、選択画像６１を、複数のクーポンのうちのいずれかを選択するための複数の選択ボタンを含むものとする。表示画像５０においてカテゴリボタン５２ｃがタッチされた場合にＣＰＵ１０は、選択画像６１を、複数のチラシのうちのいずれかを選択するための複数の選択ボタンを含むものとする。表示画像５０においてカテゴリボタン５２ｄがタッチされた場合にＣＰＵ１０は、選択画像６１を、発行するマップの対象エリアを選択するための画像とする。すなわちカテゴリボタン５２ａ〜５２ｂはいずれも、利用者による選択肢からの選択を少なくとも一度経てプリントの対象となる画像を決定するための処理の起動を指定するために使用されることになる。
【００５４】
Ａｃｔ８においてＣＰＵ１０は、利用者によるタッチ操作が行われたか否かを確認する。そして、タッチ操作がタッチセンサ１４ｂにより検出されていないためにＮＯと判定したならばＣＰＵ１０は、Ａｃｔ９へと進む。
【００５５】
Ａｃｔ９においてＣＰＵ１０は、Ａｃｔ７にて操作画像６０を表示してから予め定めた一定時間が経過したか否かを確認する。そして一定時間がまだ経過していないためにＮＯと判定したならばＣＰＵ１０は、Ａｃｔ８へと戻る。
【００５６】
かくしてＡｃｔ８，９においてＣＰＵ１０は、タッチ操作がなされるか、あるいはタッチ操作がなされないままで一定時間が経過するのを待ち受ける。そして、タッチ操作がなされないままで一定時間が経過したためにＡｃｔ９にてＹＥＳと判定したならばＣＰＵ１０は、Ａｃｔ１に戻る。つまり、操作画像６０を表示していながらタッチ操作が行われない状態が一定時間に渡り継続したならば、ＣＰＵ１０は表示画像５０を表示する状態に戻す。
【００５７】
Ａｃｔ８，９の待ち受け状態にあるときにタッチ操作がなされたならばＣＰＵ１０は、Ａｃｔ８においてＹＥＳと判定してＡｃｔ１０へ進む。
【００５８】
Ａｃｔ１０においてＣＰＵ１０は、タッチ操作の対象がカテゴリボタン５２ａ〜５２ｄのいずれかであるか否かを確認する。そしてタッチセンサ１４ｂが検出したタッチ位置がカテゴリボタン５２ａ〜５２ｄのいずれかに相当する位置であるためにＹＥＳと判定したならばＣＰＵ１０は、Ａｃｔ７に戻る。しかし、操作画像６０におけるタッチ操作の対象がカテゴリボタン５２ａ〜５２ｄのいずれでもないためにＡｃｔ１０にてＮＯと判定したならばＣＰＵ１０は、Ａｃｔ１１へ進む。
【００５９】
Ａｃｔ１１においてＣＰＵ１０は、操作画像６０におけるタッチ操作の対象が複数の選択ボタン６１ａのいずれかであるか否かを確認する。そしてタッチセンサ１４ｂが検出したタッチ位置が操作ボタン６１ａのいずれかに相当する位置であるためにＹＥＳと判定したならばＣＰＵ１０は、図４中のＡｃｔ１５へと進む。
【００６０】
Ａｃｔ１２においてＣＰＵ１０は、タッチ操作の対象となった選択ボタンにプリント対象となる画像が関連付けられているか否かを確認する。そして、タッチ操作の対象となった選択ボタンに関連付けられているのが別の選択肢であるためにＮＯと判定したならばＣＰＵ１０は、Ａｃｔ１３へと進む。例えば、表示デバイス１４ａが図６に示す操作画像６０を表示している場合で、選択ボタン６１ａ〜６１ｆのいずれかがタッチ操作の対象となったならば、ＣＰＵ１０はＡｃｔ１２にてＮＯと判定し、Ａｃｔ１３へと進むこととなる。
【００６１】
Ａｃｔ１３のおいてＣＰＵ１０は、タッチ操作の対象となった選択ボタンに関連付けられた選択肢を表す選択画像６１を含むように操作画像６０を更新する。例えば、表示デバイス１４ａが図６に示す操作画像６０を表示している場合で、選択ボタン６１ａがタッチ操作の対象となったならば、ＣＰＵ１０は表示デバイス１４ａが表示する選択画像を図７に示すものに更新する。そしてこの後にＣＰＵ１０は、Ａｃｔ８，９の待ち受け状態に戻る。なお、このようにしてＡｃｔ８，９の待ち受け状態に戻った場合にＣＰＵ１０は、Ａｃｔ９においてはＡｃｔ１３にて操作画像６０を更新してから一定時間が経過したか否かを確認する。
【００６２】
タッチ操作の対象となった選択ボタンにプリント対象となる画像が関連付けられているためにＡｃｔ１２にてＹＥＳと判定したならばＣＰＵ１０は、図４中のＡｃｔ１５へと進む。例えば、表示デバイス１４ａが図７に示す操作画像６０を表示している場合で、複数の選択ボタン６１ｉのいずれかがタッチ操作の対象となったならば、ＣＰＵ１０はＡｃｔ１２にてＹＥＳと判定し、Ａｃｔ１５へと進むこととなる。
【００６３】
操作画像６０におけるタッチ操作の対象が選択ボタン６１ａ〜６１ｆ，６１ｉのいずれでもないためにＡｃｔ１１にてＮＯと判定したならばＣＰＵ１０は、Ａｃｔ１４へ進む。
【００６４】
Ａｃｔ１４においてＣＰＵ１０は、操作画像６０におけるタッチ操作の対象がダイレクトボタン５４ａ〜５４ｃのいずれかであるか否かを確認する。そしてタッチセンサ１４ｂが検出したタッチ位置がダイレクトボタン５４ａ〜５４ｃのいずれかに相当する位置ではないためにＮＯと判定したならばＣＰＵ１０は、タッチセンサ１４ｂが検出したタッチ位置に応じた他処理へと移行する。この他処理については、本実施形態の特徴ではないために説明を省略する。また、タッチセンサ１４ｂが検出したタッチ位置がダイレクトボタン５４ａ〜５４ｃのいずれかに相当する位置であるためにＡｃｔ１４にてＹＥＳと判定したならばＣＰＵ１０は、図４中のＡｃｔ１５へと進む。
【００６５】
以上のように、表示画像５０または操作画像６０においてダイレクトボタン５４ａ〜５４ｃのいずれかがタッチされた場合と、操作画像６０において複数の選択ボタン６１ｉのいずれかまたはダイレクトボタン５４ａ〜５４ｃのいずれかがタッチされた場合には、ＣＰＵ１０は図４中のＡｃｔ１５へと進む。
【００６６】
図４中のＡｃｔ１５においてＣＰＵ１０は、プリントの対象となる画像を利用者に確認させるための画像（以下、確認画像と称する）を生成し、この確認画像の表示を開始するように表示デバイス１４ａに指示する。この指示に応じて表示デバイス１４ａは、表示画像５０または操作画像６０の表示を終了し、確認画像の表示を開始する。具体的にはＣＰＵ１０は、タッチ操作の対象となったのがダイレクトボタン５４ａ〜５４ｃおよび複数の選択ボタン６１ａのうちのいずれであるかを、タッチセンサ１４ｂが検出したタッチ位置に基づいて判定する。そしてＣＰＵ１０は、該当するボタンに関連付けられた画像のプレビュー画像を含む画像として確認画像を生成する。つまり、ＣＰＵ１０は、カテゴリボタン５２ａ〜５２ｄのうちのいずれか１つのタッチ操作に応じて、利用者による選択肢からの選択を少なくとも一度経てプリントの対象となる画像を決定しているのであり、第１の決定手段として機能している。また、ＣＰＵ１０は、ダイレクトボタン５４ａ〜５４ｃのうちのいずれか１つのタッチ操作に応じて、このタッチ操作の対象となったボタンに関連付けられた画像をプリントの対象として決定しているのであり、第２の決定手段として機能している。
【００６７】
図８は一例としての確認画像７０を示す図である。なお、図８において図５および図７に示される要素と同一の要素には同一の符号を付し、その詳細な説明は省略する。
【００６８】
図８に示す確認画像７０は、図７に示す操作画像６０における複数の選択ボタン６１ｉのうちの１つがタッチ操作の対象となった場合のものである。
【００６９】
ＣＰＵ１０は、図８に示すように標準画像５１、選択画像５２、選択画像５４、選択画像６１および設定画像７１を含んだ確認画像７０を生成する。すなわち図８に示す確認画像７０は、図７に示した操作画像６０に、選択画像６１に重ねた状態で設定画像７１を追加配置したものである。
【００７０】
設定画像７１は、プレビュー画像７１ａ、変更ボタン７１ｂ，７１ｃ、プリントボタン７１ｄおよび表示欄７１ｅを含む。
【００７１】
ＣＰＵ１０は、プリント対象となっている画像を、その全体が図８に示すよう設定画像７１内に収まるように縮小してプレビュー画像７１ａを生成する。そしてＣＰＵ１０は、変更ボタン７１ｂ，７１ｃ、プリントボタン７１ｄおよび表示欄７１ｅを含んだフォームにプレビュー画像７１ａを合成することにより設定画像７１を生成する。図８の例では、プリント対象となっている画像はオーダーシートの画像であり、当該画像の縮小画像がプレビュー画像７１ａとなっている。
【００７２】
変更ボタン７１ｂ，７１ｃは、プリント枚数の変更を指示するための利用者操作を入力する操作ボタンである。プリントボタン７１ｄは、第３の操作ボタンの一例であり、プリント対象となっている画像のプリントを指示するための利用者操作を入力する操作ボタンである。表示欄７１ｅは、プリント枚数を表す数値を表示する。Ａｃｔ１３においてＣＰＵ１０は、表示欄７１ｅの数値を「１」とする。
【００７３】
図９は別の一例としての確認画像７０を示す図である。なお、図９において図５および図８に示される要素と同一の要素には同一の符号を付し、その詳細な説明は省略する。
【００７４】
図９に示す確認画像７０は、図５に示す表示画像５０におけるダイレクトボタン５４ａがタッチ操作の対象となった場合のものである。従って図８の例では、プリント対象となっている画像はレシピの画像であり、当該画像の縮小画像がプレビュー画像７１ａとなっている。
【００７５】
Ａｃｔ１６においてＣＰＵ１０は、利用者によるタッチ操作が行われたか否かを確認する。そして、タッチ操作がタッチセンサ１４ｂにより検出されていないためにＮＯと判定したならばＣＰＵ１０は、Ａｃｔ１７へと進む。
【００７６】
Ａｃｔ１７においてＣＰＵ１０は、Ａｃｔ１３にて確認画像７０を表示してから予め定めた一定時間が経過したか否かを確認する。そして一定時間がまだ経過していないためにＮＯと判定したならばＣＰＵ１０は、Ａｃｔ１６へと戻る。
【００７７】
かくしてＡｃｔ１６，１７においてＣＰＵ１０は、タッチ操作がなされるか、あるいはタッチ操作がなされないままで一定時間が経過するのを待ち受ける。そして、タッチ操作がなされないままで一定時間が経過したためにＡｃｔ１７にてＹＥＳと判定したならばＣＰＵ１０は、Ａｃｔ１に戻る。つまり、確認画像７０を表示していながらタッチ操作が行われない状態が一定時間に渡り継続したならば、ＣＰＵ１０は表示画像５０を表示する状態に戻す。
【００７８】
一方で、Ａｃｔ１６，１７の待ち受け状態にあるときにタッチ操作がなされたならばＣＰＵ１０は、Ａｃｔ１６においてＹＥＳと判定し、Ａｃｔ１８へ進む。
【００７９】
Ａｃｔ１８においてＣＰＵ１０は、タッチ操作の対象がカテゴリボタン５２ａ〜５２ｄのいずれかであるか否かを確認する。そしてタッチセンサ１４ｂが検出したタッチ位置がカテゴリボタン５２ａ〜５２ｄのいずれかに相当する位置であるためにＹＥＳと判定したならばＣＰＵ１０は、Ａｃｔ７に戻る。しかし、確認画像７０におけるタッチ操作の対象がカテゴリボタン５２ａ〜５２ｄのいずれでもないためにＡｃｔ１８にてＮＯと判定したならばＣＰＵ１０は、Ａｃｔ１９へ進む。
【００８０】
Ａｃｔ１９においてＣＰＵ１０は、タッチ操作の対象が変更ボタン７１ｂ，７１ｃのいずれかであるか否かを確認する。そしてタッチセンサ１４ｂが検出したタッチ位置が変更ボタン７１ｂ，７１ｃのいずれかに相当する位置であるためにＹＥＳと判定したならばＣＰＵ１０は、Ａｃｔ２０へと進む。
【００８１】
Ａｃｔ２０においてＣＰＵ１０は、表示欄７１ｅに表す数値を変更するように確認画像７０を更新する。具体的にはＣＰＵ１０は、タッチ操作の対象が変更ボタン７１ｂであるならば表示欄７１ｅに表す数値を１つ増加し、タッチ操作の対象が変更ボタン７１ｃであるならば表示欄７１ｅに表す数値を１つ減少する。そしてこののちにＣＰＵ１０は、Ａｃｔ１６，１７の待ち受け状態に戻る。
【００８２】
タッチセンサ１４ｂが検出したタッチ位置が変更ボタン７１ｂ，７１ｃのいずれかに相当する位置ではないためにＡｃｔ１９にてＮＯと判定したならばＣＰＵ１０は、Ａｃｔ２１へと進む。
【００８３】
Ａｃｔ２１においてＣＰＵ１０は、タッチ操作の対象がプリントボタン７１ｄであるか否かを確認する。そして、タッチセンサ１４ｂが検出したタッチ位置がプリントボタン７１ｄに相当する位置ではないためにＮＯと判定したならばＣＰＵ１０は、Ａｃｔ２２へと進む。
【００８４】
Ａｃｔ２２においてＣＰＵ１０は、確認画像７０におけるタッチ操作の対象がダイレクトボタン５４ａ〜５４ｃのいずれかであるか否かを確認する。そしてタッチセンサ１４ｂが検出したタッチ位置がダイレクトボタン５４ａ〜５４ｃのいずれかに相当する位置ではないためにＮＯと判定したならばＣＰＵ１０は、タッチセンサ１４ｂが検出したタッチ位置に応じた他処理へと移行する。この他処理については、本願の特徴ではないために説明を省略する。また、タッチセンサ１４ｂが検出したタッチ位置がダイレクトボタン５４ａ〜５４ｃのいずれかに相当する位置であるためにＡｃｔ２２にてＹＥＳと判定したならばＣＰＵ１０は、Ａｃｔ１５へと戻る。
【００８５】
タッチ操作の対象がプリントボタン７１ｄであるためにＡｃｔ２１にてＹＥＳと判定したならばＣＰＵ１０は、Ａｃｔ２３へと進む。
【００８６】
Ａｃｔ２３においてＣＰＵ１０は、この時点でプリント対象となっている画像を、設定されている印刷枚数だけプリントするようプリンタ１５に指示する。この指示を受けてプリンタ１５は、該当する画像を該当する枚数だけプリント媒体へとプリントする。そして画像がプリントされたプリント媒体は、筐体１８の外部へと排出され、利用者が受け取ることができる。これにより、プリント対象がクーポンの画像であったならばクーポンが、プリント対象が配送品のオーダーシートの画像であったならばオーダーシートが、プリント対象がチラシの画像であったならばチラシが、そしてプリント対象がマップの画像であったならばマップが、それぞれ発行されることとなる。かくしてＣＰＵ１０は、プリント制御手段として機能する。
【００８７】
ＣＰＵ１０は、Ａｃｔ２３を終えたならば、Ａｃｔ１へと戻る。
【００８８】
かくしてサイネージ装置１によれば、利用者による操作が行われていない状況においては、表示画像５０が表示デバイス１４ａにて表示される。この表示画像５０は、図２にも示すような表示状態となるので、筐体１８の前面側に居る不特定の人間が良好に目視することが可能である。つまり、広告画像５３は、サイネージ装置１の近辺にいる不特定の人間の目に付くこととなり、充分な広告効果が期待できる。
【００８９】
そしてサイネージ装置１は、表示画像５０においてカテゴリボタン５２ａ〜５２ｄのいずれかが利用者によりタッチされたことに応じて、利用者による選択肢からの選択を少なくとも一度経てクーポン、オーダーシート、チラシおよびマップのいずれかについての画像を選定してプリントする。これによりサイネージ装置１は、表示画像５０には表していない情報のうちの利用者が希望する情報をプリントできる。つまり利用者は、選択肢からの選択を少なくとも一度経て所望のクーポン、オーダーシート、チラシ、あるいはマップを指定し、それを取得できる。
【００９０】
またサイネージ装置１は、表示画像５０においてダイレクトボタン５４ａ〜５４ｃのいずれかが利用者によりタッチされたことに応じて、そのタッチ対象のボタンに関連付けられた画像をプリントする。これによりサイネージ装置１は、表示画像５０に表した情報のうちの利用者が希望する情報をプリントできる。つまり利用者は、ワンタッチ操作によって簡単に、表示画像５０に予め表された情報のうちの希望のものをプリント媒体にプリントした状態にて取得できる。
【００９１】
このようにしてサイネージ装置１は、デジタルサイネージの機能と情報ターミナルの機能とを複雑な操作なしに両立できる。
【００９２】
ところで、クーポン、オーダーシート、チラシ、あるいはマップを取得しようとする利用者は、サイネージ装置１に対峙し、表示画像５０を見ることになる。この結果、広告画像５３が利用者により視認されることとなり、広告画像５３による広告の効果を高めることができる。
【００９３】
また、ダイレクトボタン５４ａ〜５４ｃに関連付けられる画像は、サイネージ装置１の管理者側が発信したい情報がを表す。従って、ダイレクトボタン５４ａ〜５４ｃのタッチ操作に応じたプリント物は、上記のように利用者が希望する情報を表すものである反面、サイネージ装置１の管理者側が発信したい情報を利用者に提示するものであるとも言える。つまり、このようなプリント物の発行は、サイネージ装置１による広告機能の一翼を担うこととなる。
【００９４】
このようにしてサイネージ装置１はさらに、デジタルサイネージの機能と情報ターミナルの機能との相乗効果により、サイネージ装置１の管理者と利用者との双方に有益なサービスを実現できる。
【００９５】
（第２の実施形態）
図１０は第２の実施形態に係るデジタルサイネージシステム１００のブロック図である。なお、図１０において図１に示される要素と同一の要素には同一の符号を付し、その詳細な説明は省略する。
【００９６】
デジタルサイネージシステム（以下、サイネージシステムと略記する）１００は、サイネージ装置１およびコンテンツサーバ４を含む。
【００９７】
サイネージ装置１は、ハードウェアとしては第１の実施形態と同一である。ただし、ＲＯＭ１１または補助記憶デバイス１３が記憶する制御プログラムが第１の実施形態とは異なっている。
【００９８】
コンテンツサーバ４は、ＣＰＵ４０、ＲＯＭ４１、ＲＡＭ４２、補助記憶デバイス４３、通信デバイス４４およびバスライン４５を含む。ＣＰＵ４０、ＲＯＭ４１、ＲＡＭ４２、補助記憶デバイス４３および通信デバイス４４は、バスライン４５にそれぞれ接続されている。
【００９９】
ＣＰＵ４０は、コンピュータの中枢部分に相当する。ＣＰＵ４０は、ＲＯＭ４１や補助記憶デバイス４３に記憶されたオペレーションシステムやアプリケーションプログラムに基づいて、サイネージ装置１での画像表示を制御するための処理を実行する。
【０１００】
ＲＯＭ４１は、上記コンピュータの主記憶部分に相当する。ＲＯＭ４１は、上記のオペレーションシステムやアプリケーションプログラムを記憶する。ＲＯＭ４１は、ＣＰＵ４０が各種の処理を実行する上で必要なデータなどを記憶する場合もある。
【０１０１】
ＲＡＭ４２は、上記コンピュータの主記憶部分に相当する。ＲＡＭ４２は、ＣＰＵ４０が各種の処理を実行する上で必要なデータを必要に応じて記憶する。ＲＡＭ４２は、ＣＰＵ４０が各種の処理を行う際のワークエリアとしても利用される。
【０１０２】
補助記憶デバイス４３は、例えばハードディスクドライブやＳＳＤ（solid state drive）などである。補助記憶デバイス４３は、ＣＰＵ４０が各種の処理を行う上で使用するデータや、ＣＰＵ４０での処理によって生成されたデータを保存する。補助記憶デバイス４３は、上記のアプリケーションプログラムを記憶する場合もある。補助記憶デバイス４３が記憶するデータには、デジタルサイネージ装置１で表示させるための各種の画像を表すデータを含む。
【０１０３】
通信デバイス４４は、通信ネットワーク２を介したコンテンツサーバ３などとの通信のための処理を行う。通信デバイス４４としては、例えば既存のＬＡＮデバイスを適用できる。なお、通信デバイス４４は、無線により通信ネットワーク２にアクセスしても良い。
【０１０４】
なお、コンテンツサーバ４は、例えば汎用のサーバ装置やコンピュータ装置を基本ハードウェアとして用いることができる。
【０１０５】
ＲＯＭ４１または補助記憶デバイス４３が保存するアプリケーションプログラムには、後述する制御処理について記述した制御プログラムが含まれる。コンテンツサーバ４の譲渡は一般に、この制御プログラムがＲＯＭ４１または補助記憶デバイス４３に記憶された状態にて行われる。しかし、制御プログラムがＲＯＭ４１または補助記憶デバイス４３に記憶されない状態のコンテンツサーバ４と制御プログラムとが個別に譲渡されても良い。そして、ＲＯＭ４１または補助記憶デバイス４３に、ユーザなどの操作に応じて制御プログラムが書き込まれても良い。制御プログラムの譲渡は、磁気ディスク、光磁気ディスク、光ディスク、半導体メモリなどのようなリムーバブルな記録媒体に記録して、あるいはネットワークを介した通信により行うことができる。
【０１０６】
次に以上のように構成されたサイネージシステム１００の動作について説明する。
【０１０７】
サイネージシステム１００においては、図３，５に示した制御処理の大半をＣＰＵ４０が行う。
【０１０８】
ただしＡｃｔ１，４，７，１３，１５，２０においてＣＰＵ４０は、それぞれの画像の生成は行うが、それらの画像を表示するための表示デバイス１４ａの直接的な制御は行わない。ＣＰＵ４０は代わりに、サイネージ装置１に対して、生成した画像を表すデータを送信し、表示変更を指示する。そしてこの指示に応じてＣＰＵ１０が、表示を変更するように表示デバイス１４ａを制御する。
【０１０９】
またＡｃｔ２３においてＣＰＵ４０は、プリンタ１５の直接的な制御は行わない。ＣＰＵ４０は代わりに、サイネージ装置１に対して、プリント対象となる画像のデータを送信し、プリントを指示する。そしてこの指示に応じてＣＰＵ１０が、プリント対象となる画像をプリントするようにプリンタ１５を制御する。
【０１１０】
またＣＰＵ１０は、タッチ操作が行われたならば、その対象となったボタンを判別してコンテンツサーバ３に通知する。この通知に応じてＣＰＵ４０は、Ａｃｔ３，５，６，８，１０，１１，１４，１６，１８，１９，２１での判断と、Ａｃｔ７，１３での操作画像６０または確認画像７０の生成に用いる画像の選択とを行う。
【０１１１】
かくしてサイネージシステム１００では、コンテンツサーバの制御の下にサイネージ装置１がサイネージ端末として機能し、サイネージ装置１において第１の実施形態のときと同様な表示が行われる。
【０１１２】
かくしてＣＰＵ４０と通信デバイス４４とにより、第１および第２の送信手段が実現される。
【０１１３】
この第２の実施形態においても、表示デバイス１４ａでは第１の実施形態と同様な表示が行われることとなり、第１の実施形態と同様な効果が達成できる。
【０１１４】
この実施形態は、次のような種々の変形実施が可能である。
【０１１５】
入力デバイスとしては、キーボードなどのタッチセンサ１４ｂとは別種のデバイスを用いても良い。
【０１１６】
確認画像７０の表示は行わずに、指定された画像のプリントを直接的に開始しても良い。
【０１１７】
カテゴリボタンの数は、１以上の任意の数であって良い。
【０１１８】
ダイレクトボタンの数は、１以上の任意の数であって良い。
【０１１９】
表示画像５０、操作画像６０および確認画像７０のレイアウトは、それぞれ任意に変更が可能である。例えば、操作画像６０および確認画像７０は、広告画像５３を含むように変更できる。
【０１２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２１】
１…デジタルサイネージ装置（サイネージ装置）、２…通信ネットワーク、３，４…コンテンツサーバ、１０，４０…ＣＰＵ、１１，４１…ＲＯＭ、１２，４２…ＲＯＭ、１３，４３…補助記憶デバイス、１４…タッチパネル、１４ａ…表示デバイス、１４ｂ…タッチセンサ、１５…プリンタ、１６…無線通信デバイス、１８…筐体、４４…通信デバイス、１００…デジタルサイネージシステム（サイネージシステム）。
【図１】
2014157565.tif 000003
【図２】
2014157565.tif 000004
【図３】
2014157565.tif 000005
【図４】
2014157565.tif 000006
【図５】
2014157565.tif 000007
【図６】
2014157565.tif 000008
【図７】
2014157565.tif 000009
【図８】
2014157565.tif 000010
【図９】
2014157565.tif 000011
【図１０】
2014157565.tif 000012